Podtech/llm-jp-corpus-v4-ja_patent huggingface dataset:
(57)【要約】【課題】試料の粉体が容器表面に付着しにくく、柄の部分に粉が残りにくく、取り扱いやすく、製造コストのかからない、精度に優れた計量スプーンを提供すること。【解決手段】計量部及び柄部を有し、その計量部は削りだし方式により加工された円筒形の形状をしており、さらにその計量部の容器表面は研磨が施されたステンレスの材質の計量スプーンであり、前記計量部の開口面に対して柄部の手持ち部が５〜３０度の角度になるように接合されており、計量部と柄部の接続付近の柄の形状は細く丸く、持ち手部分は板状になっている計量スプーン。【選択図】図１
2011080779.tif 000002
【特許請求の範囲】
【請求項１】
計量部及び柄部を有し、その計量部は削りだし方式により加工された円筒形の形状をしており、さらにその計量部の容器表面は研磨が施されたステンレスの材質の計量スプーンであり、前記計量部の開口面に対して柄部の手持ち部が５〜３０度の角度になるように接合されており、計量部と柄部の接続付近の柄の形状は細く丸く、持ち手部分は板状になっている計量スプーン。
【発明の詳細な説明】
【技術分野】
【０００１】
本発明は計量スプーンに関する。
【背景技術】
【０００２】
従来、分析化学において試薬などの粉粒体の計量には電子天秤を使用して計量している。このような電子天秤による計量方法は天秤が示す数値を見ながら量を調整するため計量に時間がかかる。
【先行技術文献】
【特許文献】
【０００３】
試薬などの粉体の計量方法に計量スプーンを使用することで簡単に計量できることが考えられる。従来技術として市販の計量スプーンが考案されている。特許文献1と特許文献２は家庭で使用されている洗濯洗剤用計量スプーンである。
【特許文献１】特開2006-349630
【特許文献２】特開2009-122029
【発明の概要】
【発明が解決しようとする課題】
【０００４】
しかしながら、分析化学では幾種類もの試薬と量が異なりさらに正確な計量が求められるため、市販の計量スプーンでは適用できない。また、樹脂製は強度が弱く、分析化学用では多くの種類の多くの計量が必要なために成型では製造コストが高くなる。形状も複雑であると計量の容積を決定することが難しくなる。
【０００５】
分析化学で計量スプーンを使用する場合、従来の試薬ビンを片手に持ち、利き手で計量スプーンを使って、試薬などの粉粒体を計量することになるが、従来の試薬ビンは深く、一般の計量スプーンでは短く、試薬を採取しにくい。また、量の精度を要するため、各種試薬に適した多くの種類を製作するには円筒形の形状が低コストで製造し易い。容器部分と柄の角度が取りやすさの重要さをもつ。また、容器と柄の接合部が太かったり、板状になっているとそこに試薬が残り、正確な計量の妨げとなる。さらに円筒形の容器部分の製造に削りだし方法では表面が滑らかでないため、その表面に粉が付着し、正確な計量ができないことがある。
【課題を解決するための手段】
【０００６】
材質はステンレスを使用し、容器部分は円筒形の削りだし方式で製造を行い、そして容器表面に研磨を施す。また、容器部分と柄の接合部分の柄の形状を細く丸くし、持ち手部分は板状にする。容器の容量調整は内径や深さを調整する。
【発明の効果】
【０００７】
本発明の計量スプーンはそのスプーン容器表面に研磨が施されているため、分析化学で用いられるような粉体の試薬が付着しにくく、また、容器部分と柄の接合部分の柄の形状がを細く丸くしているため、柄の部分等に試薬が残ったりしにくいため、精度の高い計量が可能である。その柄の持ち手の方は板状になっているため、持ちやすく、容器部分と柄の角度が試薬を取りやすい角度になっており、操作しやすい。そして、容器部分は円筒形の削りだし方式で製造を行っているため、各種試料のいろいろな計量にも調整しやすく、設計および製造について低コスト化を図ることができるなど、多くの優れた作用効果がある。
【図面の簡単な説明】
【０００８】
【図１】本発明の実施形態であるスプーンを示す図であり、計量部の開口面側を上方に向けた状態を示す図である。
【図２】図１の計量スプーンを真上から示す図である。
【図３】図２のＸ−Ｘ断面図である。
【発明を実施するための形態】
【０００９】
以下、本発明をその好ましい実施形態に基づき図面を参照しながら説明する。
本実施形態の計量スプーンは、図1〜図３に示すように、計量部２及び柄部３を有する。計量スプーン１は、ステンレス製で、計量部２と柄部３は溶接などにより接続されている。
【００１０】
計量部２は円筒形の削りだし方式で成形されており、その計量部の容器表面は研磨が施されている。
【００１１】
その円筒形の内径８や深さ９を調整することにより、各種の試料および計量に適したスプーンを製造する。
【００１２】
柄部３の接続部４は細く丸い形状を施してある。そして、柄部３の持ち手部５は板状の形状を施してある。
【００１３】
計量部の開口面６と持ち手部５の角度７は５〜３０度の角度を施してある。
【符号の説明】
【００１４】
１．計量スプーン
２．計量部（容器）
３．柄部
４．接続部
５．持ち手部
６．計量部の開口面
７．角度
８．計量部の内径
９．計量部の深さ
【図１】
2011080779.tif 000003
【図２】
2011080779.tif 000004
【図３】
2011080779.tif 000005
(57)【要約】【課題】水と電気を使用として加湿機能、空気清浄機能、及び温風暖房機能を有する費用体効果を発揮する二酸化炭素削減装置を提供する。【解決手段】本発明は、前記機能を備えた効率化と冬季間の使用だけに限らず、通年使用ができることから無駄がないこと、従来使用の化石燃料から二酸化炭素が削減でき、社会貢献を特徴とする。【選択図】なし【特許請求の範囲】
【請求項１】
水と電気ヒーターの駆動による加湿機能、空気清浄機能、暖房機能を有する。
【請求項２】
前記本体内に加湿用に貯水された水位センサーの作動で、水がある場合は、加湿機能があり、水のない場合は、空気清浄機能又は電気暖房機能を有する。
【請求項３】
本発明の趣旨を逸脱しない範囲の変更は、本発明に含まれる。
【発明の詳細な説明】
【技術分野】
【０００１】本発明は、地球温暖化の原因である二酸化炭素の削減技術分野に属する。【０００２】加湿装置、電気暖房装置、空気清浄装置機能を有する技術を用いた二酸化炭素の削減に関する。
【背景技術】
【０００３】従来、加湿装置、電気暖房装置、空気清浄装置を含む装置を該装置本体に一体機能は備え有してなかった。【０００４】化学反応式の利用、物理利用において、二酸化炭素の吸収、回収に費用対効果において困難である。
【発明の開示】
【発明が解決しようとする課題】
【０００５】現在、二酸化炭素を含むガスから二酸化炭素を回収する技術に満足を期待された実用技術は未完成である。用いられる吸着剤が化学製品である場合は、経済上および環境上の難点がある。【０００６】本発明は、大気中に排出される二酸化炭素を放出する前の削減技術に関するものであり、二酸化炭素発生源根源の化石燃料から電気ヒーターに変換することでの解決方法である。しかも、従来、電気暖房機能を有した冬季期間使用のみの機能は、効率的でない。【０００７】上記課題を鑑みるに、低コストと効率的な費用対効果面において二酸化炭素の削減技術とその方法により、水と電気で環境保全に貢献できる提案を目的とする。
【課題を解決するための手段】
【０００８】本発明は、水と電気を基材として、室内、工場、農業ハウス等の建造物内部の加湿、暖房、空気清浄機能を備えた装置を特徴とする。【０００９】本発明における機能は前記本体内に加湿用に貯水された水位をセンサー作動で、水がある場合は、加湿器機能があり、水がない場合は、空気清浄機又は電気暖房機として機能するものであり、その効果の活用を特徴とした。
【発明の効果】
【００１０】本発明は、水タンクに水をいれ、電気ヒーターとファン駆動によって、加湿機機能があり、水との作用を絶つことにより、ファンのみの駆動によることで空気清浄機機能がおこなわれ、加えて暖房機機能の同時駆動をおこない一台でもって三台機能分の駆動を可能とし、二酸化炭素削減技術は、高性能が発揮され、経済負担も少なく、しかも製造工程は特別な技術を要しないのが特徴。【００１１】本発明は、環境浄化に取り組むことができる。【００１２】水と電気を用いることから安定供給が可能であり、しかも安価である。【００１３】本発明は、二酸化炭素有害物質等は、発生しない。【００１４】本発明の製造技術は単純であり高度技術を要しない。しかも先進的な環境浄化に取組み、社会に貢献する。
【発明を実施するための最良の形態】
【００１５】本発明の水と電気を支持体にし、前記三台機能を一台に機能を集約による製造となる。【００１６】支持体は、既存の公知な機能を有した更なる技術開発であり水と電気でもって二酸化炭素削減が実施できた。【００１７】本発明は、単純さと合理的な成形が特徴。【００１８】この実施例については、水作用で加湿機能が実施され、水なし作用による空気清浄、温風暖房の実施をおこなうものであり、室内浄化装置に関する技術を特徴する。
【産業上の利用可能性】
【００１９】本発明は、水と電気で化石燃料を使用しない暖房、加湿、空気清浄装置技術で二酸化炭素削減による環境保全を備えた装置とした。【００２０】加熱水蒸気装置を特徴とする。【００２１】環境に負荷を与える二酸化炭素の大気排出による装置、素材、組成を削減し、地球温暖化対策一環の取組みに関する。
(57)【要約】      （修正有）【課題】私有地と歩道の間や歩道と車道の間などに縁石を一列に埋めて境界線としているが、境界線を越えて自由に出入りすることが出来る。不法に侵入する人や車が侵入することを防止するためには公道との境界上に塀やシャッターを設置すればよいが、個人の住宅地や小規模なマンションでは敷地を駐車場や家庭ゴミの集積場としていることが多いので、宅配業者やゴミ収集車が自由に出入り出来る不法侵入防止の縁石を提供する。【解決手段】地上に突き出る弾力のある板２を装着した縁石１を一列に並べて境界に埋め込む。不法侵入者は板２が地上に突き出ているので板２を乗り越えて侵入すれば犯罪になるという意識が働いて多くの侵入者は侵入を中止する。宅配業者やゴミ収集車にはあらかじめ通知して縁石１の板２の上を乗り越えて出入りする許可を与えておけば宅配やゴミ収集に支障がない。【選択図】図１
2011080353.tif 000002
【特許請求の範囲】
【請求項１】
折り曲げても元に戻る弾力ある板を装着した縁石
【請求項２】
折り曲げても元に戻る弾力ある板を取り付ける縁石本体の溝に板を装着した縁石
【発明の詳細な説明】
【技術分野】
【０００１】  本発明は私有地と歩道、歩道と車道などの間に境界線として、一列に埋め込まれる棒状の縁石に関する。
【背景技術】
【０００２】  縁石は、私有地と歩道の間に埋め込まれて境界線として用いられていることが多い。
【先行技術文献】
【０００３】
【特許文献１】
【特許文献２】
【発明の概要】
【発明が解決しようとする課題】
【０００４】  私有地と歩道間は縁石が埋め込まれて境界線を示していても人や車が私有地へ不法侵入することは容易である。
【課題を解決するための手段】
【０００５】  上記の課題を解決するために塀やシャッターなどを設置して出入り出来なくすることはできるが私有地の所有者や関係車両などは，公道から自由に出入り出来なければならないので塀やシャッターを設置すると不便である。【０００６】  そこで私有地と歩道の間に本発明の折り曲げても元に戻る弾力ある板を装着した縁石を一列に並べて埋め込んで立体的に境界を示せば、外見的には車両の通行止めに見える。
土地の所有者や関係車両は縁石の上を乗り越えて出入りする時、車両の重量で板は折れ曲るが車の通過後、元の立体的な板に戻る。しかし不法侵入者にとっては立体的にはっきり境界を示している縁石を乗り越えて侵入することは犯罪になるという心理的圧力となり不法侵入を抑えることが出来る。【０００７】  車の重みで折れ曲がり重みが解除された時は元に戻る板が地上につき出る高さは縁石を埋め込む境界地の状況に応じて決定することとし、素材には、金属、ゴム、プラスチックなど適切な素材を選び、接着剤や釘などで縁石本体に装着する。
【発明の効果】
【０００８】  本発明の折り曲げても元に戻る弾力ある板を装着した縁石を私有地と歩道、歩道と車道、などの間に一列に埋め込んで境界線とすれば、板が立体的な通行止めに見え不法侵入者に心理的に圧力を加えるので不法侵入者の減少に効果を奏する。
【図面の簡単な説明】
【０００９】
【図１】折り曲げても元に戻る弾力ある板を縁石本体の側面に装着した本発明の斜視図である。
【図２】折り曲げても元に戻る弾力ある板を取り付ける縁石本体の溝に装着した本発明の斜視図である。
【発明を実施するための形態】
【００１０】  以下、本発明の実施の形態について詳細に説明する
【実施例１】
【００１１】  本発明の折り曲げても元に戻る弾力ある板を装着した縁石を住宅地やマンションに使用した実施例１について説明する。【００１２】  個人の住宅地や小規模なマンションでは公道に隣接している敷地を駐車場や家庭ゴミの集積場としていることが多いが、そのためには駐車場使用者やゴミ収集車が自由に出入り出来なければならない。しかし公道と私有地が自由に出入りできる状態では無関係の車も自由に出入り出来るので、無断で駐車したり休憩したりするケースが多くなる。この不法行為を防止するため公道との境界上にシャッターを設けたりチェーンを設置したりして不法侵入を防ぐ対策を講じると、宅配業者やゴミ収集車などはその都度管理者に開扉を依頼しなければならず大変面倒である。そこで本発明の縁石を境界に設置して、宅配業者やゴミ収集車にはあらかじめ縁石上の通行を許可しておけば適宜板の上を出入りして目的を達することが出来る。不法侵入者は板が地上に突き出ているので板を乗り越えて侵入すれば犯罪になるという意識が働いて多くの侵入者は侵入を中止するに違いない。
【実施例２】
【００１３】  本発明の折り曲げても元に戻る弾力ある板を装着した縁石を道路の一時停止線に使用した実施例２について説明する。【００１４】  遮断機のない踏切において車が一時停止をせず踏切に進入し事故につながるケースが後を絶たない。運転者は一時停止をしなくてはならいことは理解できていても、平面的な一時停止線ではつい忘れることがある。そこでこの一時停止線に本発明の縁石を並べて設置すれば運転者は板を乗り越えるという行為の前に一時停止義務をあらためて認識させられるので一時停止をして左右を確認することとなり事故は激減するに違いない。
【産業上の利用可能性】
【００１５】  本発明は道路上における交通法規など社会的規範への注意、喚起、警告等に利用することが出来る
【符号の説明】
【００１６】１  縁石本体
２  弾力的な板
３  弾力的な板の切り目
４  板を取り付ける溝
【図１】
2011080353.tif 000003
【図２】
2011080353.tif 000004
(57)【要約】【課題】本発明は、洪水による河川敷の被害を低減あるいは防止する方法を提案するものである。【解決手段】河川敷を有する河川において、河川の流水部分の両側に上方に突出する支柱を設け、河川と河川敷を覆う浮体部を設け、当該浮体部上を河川敷として利用可能とし、前記支柱にて浮体部を支え、河川の洪水時、河川の流水部から溢流した流水により浮体部を浮上させる浮上する河川敷である。洪水時に河川敷に取り残されるゴミを除去できるよう、河川の両側に突出する支柱を設け、浮体部と本来の河川敷間に隙間を設け清掃用の車両あるいは人の出入りを可能とした。【選択図】図1
2011080315.tif 000002
【特許請求の範囲】
【請求項１】
河川敷を有する河川において、河川の流水部分の両側に上方に突出する支柱を設け、河川と河川敷を覆う浮体部を設け、当該浮体部上を河川敷として利用可能とし、前記支柱にて浮体部を支え、河川の洪水時、河川の流水部から溢流した流水により浮体部を浮上させる浮上する河川敷。
【発明の詳細な説明】
【技術分野】
【０００１】
本発明は、河川の洪水時にも洪水の影響を受けない河川敷を提供する技術に属する。
【背景技術】
【０００２】
河川敷は時として、公園あるいは駐車場などとして利用されることがある。河川の洪水時は、その機能が乱され、修復に費用が掛かり、あるいは駐車した車が浸水し故障の原因あるいは流出を引き起こすことがある。
河川の洪水時、過剰の流水を河川の両側に設けた水路あるいは水槽に導く手段が特願平11-198665、特公昭49-38124に開示されている。また調整池あるいは遊水地の上部に人工地盤を設け洪水時に浮上させる技術が特開2004-324127に開示されている。
洪水による河川敷の被害を低減あるいは防止する技術が求められている。
【先行技術文献】
【特許文献】
【０００３】
【特許文献１】特願平11-198665
【特許文献２】特公昭49-38124
【特許文献３】特開2004-324127
【発明の開示】
【発明が解決しようとする課題】
【０００４】
本発明は、洪水による河川敷の被害を低減あるいは防止する方法を提案するものである。
【課題を解決するための手段】
【０００５】
本発明は、河川敷を有する河川において、河川の流水部分の両側に上方に突出する支柱を設け、河川と河川敷を覆う浮体部を設け、当該浮体部上を河川敷として利用可能とし、前記支柱にて浮体部を支え、河川の洪水時、河川の流水部から溢流した流水により浮体部を浮上させる浮上する河川敷である。
洪水時に河川敷に取り残されるゴミを除去できるよう、河川の両側に突出する支柱を設け、浮体部と本来の河川敷間に隙間を設け清掃用の車両あるいは人の出入を可能とした。
【発明の効果】
【０００６】
本発明は、上記説明の通り、河川の流水部分の両側に支柱を設け、洪水時河川敷(浮体部)を浮上可能とし、本来の河川敷と浮体部間に隙間を設けたため、以下の効果がある。（１）洪水の跡に残されるゴミの収集、除去のための車両・人の出入が可能となる。
また、浮体部上が洪水の影響を受けないため以下の効果がある。（１）河川敷を常時公園、駐車場として利用可能となる。
【図面の簡単な説明】
【０００７】
【図１】は、本発明の浮上する河川敷の概念図である。
【図２】は、浮体部が浮上している状態を示す概念図である。
【図３】は、流水部中に充填する帯水材の例である。
【発明を実施するための形態】
【０００８】
以下本発明を、図を用いて、より詳細に説明する。
本発明は、図1に示すように、河川の流水部分の両側に支柱を設け、河川及び本来の河川敷を覆うように浮体部を設け前記支柱で支えている。図では流水部分の両側に設けた支柱のみで支えているが、必要に応じて更にその両側に支柱を設けてもよい。
浮体部は、流水部を含めた河川敷上に設けられている。図では浮体部上には土壌を敷き設し、緑地帯となっている。その他必要に応じて駐車場、運動場などとして利用できるよう浮体部上を適宜整備することができる。
【０００９】
図2に示すように、洪水時には、流水部分から溢れ出た水は、本来の河川敷上を流れ、更に大量の出水時には流水により浮体部が浮上する。
浮体部が浮上すれば流水域のみでは流しきれない流水は、河川敷と浮上した浮体部の間の空間を流れていく。
水に浸かっては不都合な施設、例えば駐車場、が浮体部上に設けられる。
【００１０】
洪水が治まり、水が引けば浮体部は元の位置にまで下がる。浮体部が水面の上昇下降に追随して動くとき、水面が通常の水位に下がったときに、浮体部が元の位置に戻る時、回転、移動を起こすことなく、元の位置に治まるようガイドを設けておくことが好ましい。ガイドは図に示すように、浮体部を貫く複数の柱であってもよいが、複数本の鎖でもって固定するものでもよい。
【００１１】
洪水後、水が本来の河川敷から引くためには、浮体部を支える支柱は河川の両側に沿って並ぶ柱の列となる。水が引いた後には多量のゴミが本来の河川敷上に残される。浮体部が支柱で支えられているため、河川敷と浮体部の間に空間ができ、その空間を利用してゴミの収集、除去のための車両・人が立ち入り、その作業をすることができる。作業空間が狭い場合は、本来の河川敷にＵ字溝を設けて作業空間に代えることができる。
【００１２】
浮体部は、その浮体部上に設ける、あるいは存在するものを含めて全体としてその比重が１以下となるよう構成する。浮体部の材質は鉄筋コンクリート製の箱であっても鋼鉄製あるいはゴム製であってもまた他の材質であってもよく、定められた期間の耐久性があるものならよい。また、発泡ポリスチレン、発泡ポリエチレン等の発泡性の樹脂製品あるいはこれら樹脂製品の表面をコンクリート、金属で覆った材料でもよい。なお、鉄筋コンクリートなどの材質で構成される場合、空洞を設けることで比重を小さくするときは、内部が独立した複数の空洞とすることが安全上好ましい。
【００１３】
必要に応じて、流水部を二層にわけ、下層部を貯留部として常時水を貯め、平常時上層部を水が流れるようにしておくことができる。
貯留部は通常の鉄筋コンクリート製の槽でであっても、あるいはその周囲を遮水シートとし、内部に図3に示すような帯水材であるブロックを充填してもよい。また、貯留部の水を有効利用できるような配管、水路を設けておくことが好ましい。
【産業上の利用可能性】
【００１４】
河川敷の有効利用とし、常時その上部を公園、駐車場その他の施設として利用できる。
【符号の説明】
【００１５】
１  浮体部
１１  ガイド
２  河川敷
３  流水域
３１  支柱
３２  流水部
３３  貯留部
４  堤防
【図１】
2011080315.tif 000003
【図２】
2011080315.tif 000004
【図３】
2011080315.tif 000005
(57)【要約】【課題】本発明は、堤防の嵩上げあるいは建屋への浸水を防止するブロックの提案にある。【解決手段】本発明は、大小大きさの異なる突部が平行に設けられた波板ブロックであって、当該波板ブロックの突部は順次端部よりその高さが高くなるように設定された波板ブロックであり、波板ブロックの低いほうの突部を出水側に向け並べることで堤防の嵩上げまたは出水による建屋への浸水を防止する方法である。波板ブロックの凹部には土壌を充填し、重量の増加を図り、普段は花壇として使用できる。【選択図】図１
2011080314.tif 000002
【特許請求の範囲】
【請求項１】
大小大きさの異なる突部が平行に設けられた波板ブロックであって、当該波板ブロックの突部は順次端部よりその高さが高くなるように設定されたことを特徴とする波板ブロック。
【請求項２】
請求項１記載の波板ブロックを出水側に向け並べることを特徴とする堤防の嵩上げまたは出水による建屋への浸水を防止する方法。
【発明の詳細な説明】
【技術分野】
【０００１】
本発明は、洪水時における堤防の嵩上げあるいは建屋への浸水を防止する技術に属する。
【背景技術】
【０００２】
水害時などに河川、湖沼などの氾濫を防ぐために麻袋等の丈夫な袋に土砂等の充填物を入れた土嚢を積み上げ堤防を嵩上げして決壊を防止することが古来より行われている。特開2002-69964、特開2001-81752には吸水性の高分子を充填した袋を用意し、吸水することでその体積重量を増大し土嚢として利用する提案がなされている。また特開2006-283505、特開2002-30669には上下に開口する枠体を多数前後左右に配列し内部に土嚢もしくは土壌を充填して堤防の嵩上げに使用する方法が提案されている。
いずれの方法も土壌の存在を必要とし、都市化の進んだ地域では決壊のおそれのある緊急時に必要な量の土壌を入手することは不可能となった。
そのため、土壌の入手困難な場所においても堤防の嵩上げが可能な土木資材の提案にある。
【先行技術文献】
【特許文献】
【０００３】
【特許文献１】特開2002-69964
【特許文献２】特開2001-81752
【特許文献３】特開2006-283505
【特許文献４】特開2002-30669
【発明の開示】
【発明が解決しようとする課題】
【０００４】
本発明は、堤防の嵩上げあるいは建屋への浸水を防止するブロックの提案にある。
【課題を解決するための手段】
【０００５】
本第１の発明は、大小大きさの異なる突部が平行に設けられた波板ブロックであって、当該波板ブロックの突部は順次端部よりその高さが高くなるように設定された波板ブロックである。
本第２の発明は上記の波板ブロックを出水側に向け並べて出水による建屋への浸水を防止する方法である。
波板の凹部に土若しくは土嚢を充填して、堤防の嵩上げ、出水による水の建屋方向への浸水を防止できるようにした。
【発明の効果】
【０００６】
本発明のブロックは、波板であって、その突部の高さが順次端部より高くなるように設定されているため以下の効果がある。（１）波板の凹部に土若しくは土嚢が充填可能である。（２）常時土を凹部に充填し花壇としての使用が可能である。
【図面の簡単な説明】
【０００７】
【図１】は、本ブロックの形状を示す概念図である。
【図２】は、堤防に設置した状態を示す概念図である。
【図３】は、凹部に土を充填し花壇として使用する例を示す概念図である。
【図４】は、本ブロックを２段に重ねて嵩上げ効果を高めた例を示す概念図である。
【発明を実施するための形態】
【０００８】
以下、本発明を図によって、より詳細に説明する。
図１は、本発明の波板ブロックの平面図及び断面図である。
本波板ブロックは、図に示すとおり、突部が平行に設けられ、かつその高さが順次高くなっている。
図では、その突部が２つの波板であるが、より多くの突部を有していてもなんら差し支えがない。好ましくは突部の高さが階段状に設けられ、かつ突部の頂点が直線状に並ぶのがよい。こうすることで二つの波板を用い、波板の一つを逆さまにして図４に示すように重ねて、その高さをより高くすることができ、堤防に設けた場合堤防の嵩上げに効果的に使用できる。
【０００９】
そのため波板の突部にボルト孔などを設け互いに接続可能とすることが好ましい。さらに、波板の突部に平行な端部は平坦な平板部とし、必要に応じて前記平板部の裏にゴムシートを張り付けて、波板の突部内部に水が浸入することを抑えてもよい。
【００１０】
図２は、本ブロックを堤防上に固定した状態を示している。本波板ブロックの平板部、凹部底部に設けたボルト孔を介し、堤防に設けた基礎部に固定することが好ましい。なお、非常時には波板ブロックの凹部に土、土嚢などを充填することで固定することもできる。また、常時前記凹部に土を充填し、草花を育て花壇として使用することでもよい。本ブロックを堤防上に固定するとき、出水側の平板部と堤防の間に遮水を目的とするゴム板を挿入して突部内部への水の浸入を防止することが好ましい。
【００１１】
図３は、前述したように、本波板ブロックの凹部に土を充填し草花を育て花壇として使用する例を示している。集中豪雨時、浸水を防止するため、本波板ブロックを建て屋の周囲に配列することも可能であるが、常時から花壇として配置しておくこともできる。
【００１２】
図４は、前述したように本波板ブロックを対にして２段重ねた状態を示している。
【００１３】
本波板ブロックは、鉄板、コンクリート、ＦＲＰなど適宜な材料が選択可能である。人力による設置の場合を考慮し、過大な重量と成らない形状大きさが好ましい。
【産業上の利用可能性】
【００１４】
本発明は、堤防決壊のおそれのある場所に嵩上げようとして、また建て屋の周囲に配列して浸水防止用に使用できる。また波板凹部に土を充填し花壇兼用浸水防止用として使用できる。
【符号の説明】
【００１５】
１  波板ブロック
１１  突部
１２  凹部
１３  平板部
４  土
５  遮水用ゴム板
【図１】
2011080314.tif 000003
【図２】
2011080314.tif 000004
【図３】
2011080314.tif 000005
【図４】
2011080314.tif 000006
(57)【要約】【課題】シャワーノズルの位置が固定されているため、シャワーから出る水があたる場所も常に同じである。そのため、シャワーの水があたる場所に、水をあてたい対象を移動する必要がある。頭や体にシャワーの水をあてたい際に、無理な体勢になることがあり、体に負担がかかっていた。片手でシャワーノズルを持ち、シャワーから出る水があたる場所を自由に変えることもできるが、片手が塞がってしまうという欠点がある。  本発明は、以上の問題点を解決するシャワーフックを提供する。【解決手段】挿し込み部とフック部を塑性変形性をもつ線状材で連結する。【選択図】図１
2011080344.tif 000002
【特許請求の範囲】
【請求項１】
挿し込み部（２）とフック部（１）を塑性変形性をもつ線状材（３）で連結する。
【発明の詳細な説明】
【技術分野】
【０００１】  本発明は、風呂場で使用するシャワーのシャワーフックに関するものである。
【背景技術】
【０００２】  従来、シャワーノズルの位置が固定されているため、シャワーから出る水があたる場所も常に同じであった。【０００３】  なお、シャワーノズルの向きを自由に動かせる壁取り付けフック（非特許文献１参照）や、シャワーノズルの位置を自由に変えられるフック（非特許文献２参照）、またシャワー機構として初めから備わっているフック（特許文献１参照）が知られている。【０００４】  また、本願発明に関する公知技術として次の非特許文献１〜２、特許文献１の物件もある。
【先行技術文献】
【０００５】
【非特許文献１】スイングシャワーフック
【非特許文献２】ユニバーサルシャワーフック
【特許文献１】特許公開２００９−１０８５１３
【発明の概要】
【発明が解決しようとする課題】
【０００６】  シャワーノズルの位置が固定されているため、シャワーから出る水があたる場所も常に同じである。そのため、シャワーの水があたる場所に、水をあてたい対象を移動する必要がある。【０００７】  頭や体にシャワーの水をあてたい際に、無理な体勢になることがあり、体に負担がかかっていた。【０００８】  片手でシャワーノズルを持ち、シャワーから出る水があたる場所を自由に変えることもできるが、片手が塞がってしまうという欠点がある。
【課題を解決するための手段】
【０００９】  挿し込み部とフックを塑性変形性をもつ線状材で連結する。
【発明の効果】
【００１０】  シャワーノズルの向きを自由に変えることにより、水の出る方向が自由に変えられる。そのため、水のあたる場所を自由に設定できる。【００１１】  このため、頭や体など、シャワーの水をあてたい対象を移動させることなく、シャワーの水を対象にあてることができ、楽な体制のままシャワーを浴びることができる。【００１２】  また、シャワーノズルを持つ必要がないため、片手が塞がれない。
【図面の簡単な説明】
【００１３】
【図１】本発明の斜視図
【図２】本発明の側面の断面図
【図３】本発明の使用状態を示す斜視図
【発明を実施するための形態】
【００１４】  以下、本発明の実施の形態を説明する。
【００１５】（イ）シャワーフック（７）に挿し込む挿し込み部（２）の上部（５）と、シャワーノズル（６）を挿し込むフック部（１）の後部（４）を５ｃｍ程の塑性変形性をもつ線状材（３）で連結する。
【００１６】（ロ）塑性変形性をもつ線状材（３）を曲げることにより、フック部（１）が上下方向（矢印Ａで示す方向）に移動する。
【００１７】  本発明は以上のような構造である。
【００１８】  本発明を使用する時は、挿し込み部（２）をシャワーフック（７）に挿し込む。
【００１９】  フック部（１）にシャワーノズル（６）を挿し込む。
【００２０】  塑性変形性をもつ線状材（３）を曲げることにより、フック部（１）の位置を動かして（矢印Ａで示す方向）、シャワーノズル（６）の向きを変え、シャワーノズル（６）から出る水の方向を変える。このとき、水を当てたい場所にシャワーノズル（６）から出る水の方向を定める。
【符号の説明】
【００２１】  （１）フック部、（２）挿し込み部、（３）塑性変形性をもつ線状材、（４）フック部の後部、（５）挿し込み部の上部、（６）シャワーノズル、（７）シャワーフック、（８）壁
【図１】
2011080344.tif 000003
【図２】
2011080344.tif 000004
【図３】
2011080344.tif 000005
(57)【要約】      （修正有）【課題】建築物の外部開口建具の室内側開口に密封ロールスクリーンを設置して外部開口建具と密封ロールスクリーンの間に空気層を設けることにより、室内側に内障子や内ガラス戸等を設置することなく、空気対流を抑えて熱伝導を軽減させる。【解決手段】外部開口建具の室内側に、空気密封するスクリーン本体１と、スクリーン先端及びに開口部底部と接する弾性シート材２−１を取り付けたガイド体２、ガイド体及びスクリーンを弾性シート材３−１で挟み込む溝を有する左右に設置されるガイドレール３、開口部上部に固定されスクリーン回転面と接触する弾性シート材４で構成した、密封ロールスクリーンによって外部建具間の空気対流を抑え空気層を設け、熱伝導を軽減させる。【選択図】図１
2011080342.tif 000002
【特許請求の範囲】
【請求項１】
外部開口建具の室内側の上部に設置されるロールスクリーン本体（１）スクリーン先端と開口部底部と接する弾性シート材（２−１）を取り付けたガイド体（２）ガイド体及びスクリーンを弾性シート材（３−１）で挟み込む溝を有する左右に設置されるガイドレール（３）開口部上部に固定されスクリーン回転面と接触する弾性シート材（４）で構成される密封ロールスクリーン。
【請求項２】
ガイドレール（３）の弾性シート材（３−１）ガイド体（２）の弾性シート材（２−１）及び（４）の弾性シートをスクリーン回転面と接触部をスプリング板の先端に弾性繊維密植シート（５）にして構成される密封性ロールスクリーン。
【発明の詳細な説明】
【技術分野】
【０００１】  本発明はロールスクリーンに関するものであり、外部建具の室内側開口に設置する密封ロールスクリーンである。
【背景技術】
【０００２】  従来ロールスクリーンは概ね日射の防止、目隠しを主な目的として用いられ、まれに分煙、ほこり防除の目的のものが特許文献に開示されているものがある。
【特許文献１】特許公開  ２００５−２００８９４号  広報
【発明の開示】
【発明が解決しようとする課題】
【０００３】  従来のロールスクリーンは日射の防止、目隠しが主目的であり、建築物の開口部に設けられる外部建具はその面材にガラスが使用されているので、室内・外・間の熱貫流、熱伝導は断熱材を使用する外壁体に比べ断熱効果は極端に低下する課題がある。
外部建具面材のガラスは外気温と室内気温との差で熱伝導が発生し、外気温が室内気温より高い場合、室内面材表面で上昇気流が発生し気温を上昇させ、外気温が低い場合は逆に下降対流を発生させ、室温を下降させる。特に足元の冷気状態を増大させる大きな原因である。
ロールスクリーン、カーテンは使用時でも空気が自由に流入排出するので対流による温度変化を抑える事は困難である。
一般的な対策として内障子・内ガラス戸等で対処をしているが、隙間、不使用時、特に引違戸は片側しか開口が確保できずに不要時の収納・敷居の段差等の問題を発生させていた。
【課題を解決するための手段】
【０００４】  この課題を解決するための請求項１の発明は、外部建具の開口部窓内側上部にロールスクリーン本体（１）を取り付け、左右に密封型弾性シート材（３−１）を内蔵したガイドレール（３）に  開口部底部と密着させる弾性シート（２−１）を持つガイド体（２）を導入させ、開口部上部とロールスクリーン回転表面を接触させ、密封状態を維持させる弾性シート材（４）により外部建具と密封ロールスクリーンの間に空気層を設ける事で空気対流を抑え、その空気層が熱伝導を軽減させる事ができる。【０００５】  請求項２はガイドレール（３）の弾性シート材（３−１）、ガイド体（２）の弾性シート材（２−１）、開口上部弾性シート材（４）を弾性繊維密植シート材（５）にして密封ロールスクリーンを構成したものである。
【発明の効果】
【０００６】  本発明により空気対流を抑え、熱伝導を軽減することにより空調エネルギーの減少、特に寒期の長い地域では効果が期待できる。【０００７】  又、不要時は上部に巻き上げると全開口が確保でき、かつ底部に部材を必要としないので段差を生じさせず、外部建具の引違戸上下窓・ドア等多種類に対応でき、従来のカーテンとの併用も可能である。【０００８】又、建物の中で住宅は外部建具の寸法が規格化されているものが多く量産が容易で取り付けも簡便である。
【発明を実施するための最良の形態】
【０００９】  図１はロールスクリーン本体（１）スクリーン先端と開口部底部と接する弾性シート材（２−１）を取り付けたガイド体（２）ガイド体及びスクリーンを弾性シート材（３−１）で挟み込む溝を有するガイドレール（３）開口部上部に固定され、スクリーン回転面と接触する弾性シート材（４）で構成される密封ロールスクリーン縦断面図である。【００１０】  図２はスクリーン及びガイド体（２）を挟み込む弾性シートを内蔵するガイドレール（３）の横断面図である。【００１１】図３はガイドレール（３）の弾性シート材（３−１）ガイド体（２）の弾性シート材（２−１）（４）の弾性シートをスクリーン回転面と接触部をスプリング板の先端を弾性繊維密植シート（５）にした弾性繊維密植シートの斜視図である。
【図面の簡単な説明】
【００１２】
【図１】密封ロールスクリーンの縦断面図を表す。
【図２】ガイドレール（３）の横断面図を表す。
【図３】弾性繊維密植シート（５）の斜視図を表す。
【符号の説明】  １      ロールスクリーン本体
２      ガイド体
２−１  ガイド体  弾性シート
３      ガイドレール
３−１  ガイドレール内臓弾性シート
４      上部弾性シート
５      弾性繊維密植シート
Ａ      外部建具
Ｂ      建物躯体
【図１】
2011080342.tif 000003
【図２】
2011080342.tif 000004
【図３】
2011080342.tif 000005
(57)【要約】【課題】  一般の紐と滑車でのすだれ巻き上げ下ろし機具を使うと、巻き上げ時に引っ張った紐が垂れ下がり、風に吹かれてブラブラしたり、出入り口での使用時には、その紐が邪魔になっていた。  本発明は、巻き上げる紐が垂れ下がらないように、巻き取り機本体に紐（ワイヤー使用）を巻き収納されるぜんまい仕掛けによるすだれ巻き上げ下ろし機具を提供する。【解決手段】  すだれ巻き機本体（１）のぜんまい（３）部にワイヤー（１１）を接続し、本体ワイヤー出し入れ部に凹部を設け、ワイヤー（１１）に、垂れ下がり防止具（８）及び巻き上がり防止具（７）を設け、ワイヤー（１１）先端部にワイヤー輪（９）を設ける。すだれ巻き機本体（１）外部に、フック（６）、ワイヤー輪かけ（５）、紐（４）を設ける。【選択図】図１
2011080346.tif 000002
【特許請求の範囲】
【請求項１】
巻き取り機本体の中心部にぜんまいを設け、このぜんまいに、先端にワイヤー輪を、中間に垂れ下がり防止具、巻き上げ防止具を設けたワイヤーを接続し、ワイヤー出し入れ部に凹部を設けたことを特徴とする、ぜんまい巻き取り式すだれ巻き機。
【発明の詳細な説明】
【技術分野】
【０００１】  本発明は、家の窓や出入り口などに設置するぜんまい巻き取り式すだれ巻き機に関するものである。
【背景技術】
【０００２】  従来、すだれを巻き上げ下ろしする際は、滑車を工夫し、紐等を手動で引っ張るなどして巻き上げ下ろしを行っていた。
【先行技術文献】
【０００３】
【特許文献】
【特許文献】
【発明の概要】
【発明が解決しようとする課題】
【０００４】  一般の紐でのすだれ巻き上げ下ろし機具を使うと、巻き上げ時に引っ張った紐が垂れ下がり、風に吹かれてブラブラしたり、出入り口使用時には紐が邪魔になっていた。
本発明は、以上の問題点を解決するためになされたものである。
【課題を解決するための手段】
【０００５】  巻き取り機本体の中心部にぜんまいを設け、このぜんまいに、先端にワイヤー輪を、中間に垂れ下がり防止具、巻き上げ防止具を設けたワイヤーを接続し、ワイヤー出し入れ部に凹部を設けたことを特徴とする、ぜんまい巻き取り式すだれ巻き機。
【発明の効果】
【０００６】  従来滑車の工夫と紐を用いたすだれの巻き上げ下ろしを、ぜんまいを利用した一般の自動巻き取り式巻き尺の構造及び機能を用いて改良した本発明により、すだれの巻き上げ下ろしがぜんまいの巻き上げる力で、簡単、スムーズに行うことができる。今まで邪魔になっていた巻き上げ時の紐も、垂れ下がることもない。
【図面の簡単な説明】
【０００７】
【図１】本発明の断面図である。
【図２】本発明の設置状況図である。
【発明を実施するための形態】
【０００８】  以下、本発明の実施形態を説明する。
（イ）すだれ巻き機本体（１）の中心部にぜんまい（３）を設け、ワイヤー（１１）と接      続し、巻きつけるリール（２）を設ける。
（ロ）すだれ巻き機本体（１）外部に、フック（６）及びワイヤー輪かけ（５）及び紐（      ４）及びワイヤー出入り口凹部（１０）を設ける。
（ハ）ワイヤー（１１）先端部にワイヤー輪（９）を設け、ワイヤー（１１）前方部に垂      れ下がり防止具（８）を設け、後方部に巻き上がり防止具（７）を設ける。
本発明は以上のような構造である。
本発明を使用するときは、すだれ巻き機本体（１）よりワイヤー（１１）を引き出し、すだれに巻きつけ、ワイヤー輪かけ（５）にワイヤー輪（９）を引っかける。すだれ上部に、フック（６）にてすだれ巻き機本体（１）を設置する。
ワイヤー（１１）を引くとすだれが垂れ下がり、巻き上がり防止具（７）をワイヤー出入り口凹部（１０）に引っかけることにより、すだれが固定される。引っかけを外すと、ぜんまい（３）の巻く力により、ワイヤー（１１）がすだれ巻き機本体（１）の内部リール（２）に巻かれ、すだれが巻き上げられる。垂れ下がり防止具（８）をすだれ巻き機本体（１）内側よりワイヤー出入り口凹部（１０）に引っかけるとすだれが固定される。
【符号の説明】
【０００９】（１）  すだれ巻き機本体
（２）  リール
（３）  ぜんまい
（４）  紐
（５）  ワイヤー輪かけ
（６）  フック
（７）  巻き上がり防止具
（８）  垂れ下がり防止具
（９）  ワイヤー輪
（１０）ワイヤー出入り口凹部
（１１）ワイヤー
【図１】
2011080346.tif 000003
【図２】
2011080346.tif 000004
(57)【要約】【課題】  この発明は、肩と腕のつけ根をおおうように、肩あて本体を設け、脇の下に紐を設けたシリコンの素材でできた肩あてを提供する。【解決手段】  肩と腕のつけ根をおおうように、肩あて本体（１）を設け、肩と腕のつけ根の部分だけ、覆うようにシリコンで吸着するようにしたもので、脇の下に紐を設け、落ちないように、脇の下に紐をつけ固定することが特徴の肩あて。【選択図】図１
2011080180.tif 000002
【特許請求の範囲】
【請求項１】
（イ）肩と腕のつけ根をおおうように、肩あて本体（１）を設ける。
肩と腕のつけ根の部分だけ、覆うようにシリコンで吸着するようにしたものである      。
（ロ）脇の下に紐を設ける。
落ちないように、脇の下に紐をつけ固定する。
以上のように構成された肩あて。
【発明の詳細な説明】
【技術の分野】
【０００１】  この発明は、肩と腕のつけ根をおおうように、肩あて本体を設け、脇の下に紐を設けたシリコンの素材でできた肩あてに関するものである。
【背景技術】
【０００２】  従来、肩あては、五十肩や痛めたりしたときに、冷やさない様につけるものであるが、布等の繊維でできていて、必要以上に大きくできている。
【発明の概要】
【発明の解決しようとする課題】
【０００３】  これは、次のような欠点があった。
襟や半袖の服からはみ出してしまい、また、固定するため反対側の脇の下で紐を結ぶので、夏は暑くるしくてつけるのがおっくうであった。
【課題を解決するための手段】
【０００４】（イ）肩と腕のつけ根をおおうように、肩あて本体（１）を設ける。
肩と腕のつけ根の部分だけ、覆うようにシリコンで吸着するようにしたものである      。
（ロ）脇の下に紐を設ける。
落ちないように、脇の下に紐をつけ固定する。
以上のように構成された肩あて。
【発明の効果】
【０００５】  肩と腕のつけ根の部分だけなので、脇の上からはみ出さない、また、薄いので着けているのを感じず外からもわからない。
冬はもちろん、夏の冷房対策にも対応できる。
【図面の簡単な説明】
【０００６】
【図１】  本発明の斜視図である。
【図２】  本発明の下から見た説明図である
【発明を実施するための形態】
【０００７】  以下、本発明を実施するための形態について説明する。
（イ）肩と腕のつけ根をおおうように、肩あて本体（１）を設ける。
肩と腕のつけ根の部分だけ、覆うようにシリコンで吸着するようにしたものである      。
（ロ）脇の下に紐を設ける。
落ちないように、脇の下に紐をつけ固定したものである。
本発明は以上のように構成されたものである。
本発明の使い方を説明する。
落ちないように、脇の下に紐をつけ固定する。
肩と腕のつけ根をおおうように、肩あてをあてる。
装着するときは、腕を通し肩にもっていく。
裏返せば左右どちらにも使える。
【符号の説明】
【０００８】  １  肩あて本体
２  固定する紐
【図１】
2011080180.tif 000003
【図２】
2011080180.tif 000004
(57)【要約】【課題】  上衣、下衣の衣服の前面、後面、側面等に収納ポケットをバランス良く配置した、ダイエットサポートウエアを提供する。【解決手段】  上衣（１）、下衣（２）の衣服の前面、後面、側面等に収納ポケット（３）を設け、中に適当な重りを入れることにより自身の体の負担を自ら体感することにより自身の体への負担を自ら体感することでダイエット感を得、動機付けを強くすることを特徴にするダイエットサポートウエア。【選択図】図１
2011080183.tif 000002
【特許請求の範囲】
【請求項１】
上衣（１）、下衣（２）の衣服の前面、後面、側面等に収納ポケット（３）を設け、中に適当な重りを入れることにより自身の体の負担を自ら体感することにより自身の体への負担を自ら体感することでダイエット感を得、動機付けを強くすることを特徴にするダイエットサポートウエア。
【発明の詳細な説明】
【技術分野】
【０００１】  本発明は、体重の増加を懸念し、体重を減少させようとする者にとって、その行為を効果的に補助するためのダイエットサポートウエアに関するものである。
【背景技術】
【０００２】  従来、ポケットのたくさんついた、作業服やアウトドアウェアはあったが、作業目的であった。
【発明の概要】
【発明が解決しようとする課題】
【０００３】  そのために、次のような問題点があった。
従来のものは、作業に適した大きさ、位置にポケットは付いていた。
だが、ポケットの大きさ、形状がまちまちであり、左右均等に重りを入れたりすることは難しかった。
本発明は、これらの問題点を解決するためになされたものである。
【課題を解決するための手段】
【０００４】  上記問題を解決するため、本発明は、上衣（１）、下衣（２）の衣服の前面、後面、および左右側面に収納ポケット（３）を設ける。
収納ポケット（３）の中のものが出ないように飛び出し防止フラップ（４）を設ける。
着用者の負担を自ら体感することによって、ダイエットができるように、収納ポケット（３）内に適当な重りを収納する。
以上のように構成されたダイエットサポートウエアである。
【発明の効果】
【０００５】  ダイエットでは、目標とする重さはどのくらいのものか、現在の体に対して感じる重さをまず実感し、目標に向かって継続した努力を保持するための意志を保てるように、心理的な効果を利用することが大切である。
【図面の簡単な説明】
【０００６】
【図１】  本発明の正面図である。
【発明を実施するための形態】
【０００７】  以下、本発明の形態について説明する。
図１は、本発明の正面図である。
（１）は上衣、（２）は下衣、（３）は収納ポケット、（４）は飛び出し防止フラップである。
上衣（１）、下衣（２）の衣服の前面、後面、側面等に収納ポケット（３）を設ける。
収納ポケット（３）の中のものが出ないように飛び出し防止フラップ（４）を設ける。
収納ポケット（３）の中に適当な重りを入れることで、自身の体の負担を自ら体感することができる。
自分自身の体への負担を自ら体感することで、ダイエットの動機付けを強くすることを特徴とするダイエットサポートウエアである。
本発明は以上のような構成である。
本発明を使用するときは、収納ポケット（３）の中に重りとなる物を入れて着用する。
衣服の前面、後面、側面等にバランス良く収納ポケット（３）を配置する。
収納ポケット（３）の中に適当な重りを入れて、自分自身で重さを体感できる。
収納ポケット（３）の中のものが出ないように飛び出し防止フラップ（４）等で止めることができる。
上衣、下衣の衣服のサイズは、アジャスター等で調整が可能である。
ダイエット後も着用できるものである。
【符号の説明】
【０００８】１  上衣
２  下衣
３  収納ポケット
４  飛び出し防止フラップ
【図１】
2011080183.tif 000003
(57)【要約】【課題】  基礎工事における配筋された鉄筋にアンカーボルトを固定する際、コンクリート打設時に位置ずれしない安全で作業性に優れた固定具を提供する。【解決手段】  Ｕ字型に成型された固定金具のＲ部分にアンカーボルトを挿入し、その固定金具下部のアンカーボルトと交差する鉄筋位置に設けられた切込みの勾配を利用して、鉄筋の挿入をスムーズに行うと共にアンカーボルトを鉄筋に締付けることができる。【選択図】  図７
2011080220.tif 000002
【特許請求の範囲】
【請求項１】
アンカーボルト外周に密着する接触面があり、そのアンカーボルトにクロス状に交わる横筋に上部から挿入できるよう、切込みを設けたことを特徴とするアンカーボルト固定具。
【請求項２】
アンカーボルト外周に密着する接触面があり、そのアンカーボルトにクロス状に交わる横筋に上部から挿入できるよう、切込みを設けたことを特徴とする請求項１のアンカーボルト固定具であって、その横筋挿入用切込み片側垂直面に勾配を設けたことを特徴とするアンカーボルト固定具。
【発明の詳細な説明】
【技術分野】
【０００１】
本発明は基礎工事等におけるアンカーボルトを配筋された鉄筋に固定する際に使用するアンカーボルト固定具に関するものである。
【背景技術】
【０００２】
従来基礎工事では、必要に応じて必要箇所にアンカーボルトが設置されている。このアンカーボルトは、生コンクリート打設前に形枠内に配筋された鉄筋に固定されており、その固定方法として、鉄線のバネを利用した固定や、アンカーボルトと横筋が挿入できるＴ字型クリップによる固定等がある。
【発明の概要】
【発明が解決しようとする課題】
【０００３】
従来の配筋された鉄筋の横筋部へのアンカーボルトの取付固定は、鉄線のバネを利用してアンカーボルトを横筋に引きつける方法や、アンカーボルトと横筋が挿入できるＴ字型クリップによる固定等が一般的に行われている。しかし、いずれも横筋とアンカーボルトの固定には、バネによる引き付けやＴ字型クリップの摩擦抵抗だけではすべりやく、コンクリート打設時の位置ずれの原因となっていた。
【０００４】
本発明は上記従来の課題に鑑みてなされたもので、その目的はコンクリート打設時に位置ずれしない安全で作業性に優れたアンカーボルト固定具を提供することである。
【課題を解決するための手段】
【０００５】
上記課題を解決するために本発明は、固定具10にアンカーボルト11外周に密着する接触面12及びそのアンカーボルト11にクロス状に交差する横筋13が挿入できる切込み14から構成されている。
【０００６】
また、横筋13を挿入、打込む切込み14の一面には勾配15が設けられている。そしてその反対のアンカーボルト側の面16は、アンカーボルト11の直径より小さく切込まれ、横筋13とアンカーボルト11の接触に障害とならない構成となっている。
【発明の効果】
【０００７】
本発明のアンカーボルト固定具によれば、まずアンカーボルトの横筋との上段接触に固定具を装着し、そのまま横筋に上から軽く打込むことにより、切込部の勾配により強力な締付力で固定することができる。次に下段横筋に同じ手順で固定することにより、軽く上から打込むだけで自重も加わり、横方向へ締付力を発生させ、コンクリート打設時に位置ずれのない強固な固定を簡単に行うことができる。
【図面の簡単な説明】
【０００８】
【図１】本発明の実施形態に係るアンカーボルト固定具の実施状態を示す説明図
【図２】本発明の実施形態に係るアンカーボルト固定具の実施状態を示す拡大説明図
【図３】アンカーボルト固定具の正面図
【図４】アンカーボルト固定具の背面図
【図５】アンカーボルト固定具の右側面図
【図６】アンカーボルト固定具の上面図
【図７】実施状態拡大斜視図
【発明を実施するための形態】
【０００９】
以下添付図面を参照しつつ本発明のアンカーボルト固定具の実施形態について説明する。本発明のアンカーボルト固定具は、基礎工事における配筋された鉄筋にアンカーボルトを固定する際に使用する好適なアンカーボルト固定具である。図１〜図６は本発明のアンカーボルト固定具の実施形態を示している。
【００１０】
本実施形態において、アンカーボルト固定具10（以下単に「固定具」という）にはアンカーボルト11を包み込むような接触面12及びそのアンカーボルト11にクロス状に交差する横筋13を挿入する切込み14が設けられている。したがって、アンカーボルト11に固定具10を装着して横筋13の上から落とし込むだけで、容易で労力も少なく作業が円滑に行われる。
【００１１】
さらに本実施形態では、図２に示すように横筋13を挿入、打込む切込み14の一面には勾配15が設けられている。そしてその反対のアンカーボルト側の面16はアンカーボルト11の直径より小さくなるようにカットされ、横筋13とアンカーボルト11の接触に障害とならない構成となっている。これにより、固定具10をアンカーボルト11に装着して横筋13に軽く打込むだけで切込部14の一面に設けられた勾配15により、アンカーボルト11の自重も加えた横方向への強力な締付力を発生させることができ、コンクリート打設時におけるアンカーボルト11の位置ずれを防止することができる。
【産業上の利用可能性】
【００１２】
本発明のアンカーボルト固定具は、鉄筋の組立配筋が必要とされる基礎工事において、鉄筋のクロス固定にも適用可能である。
【符号の説明】
【００１３】
１０  アンカーボルト固定具
１１  アンカーボルト
１２  アンカーボルト保持用接触面
１３  横筋
１４  横筋挿入用切込み
１５  勾配
１６  カット面
【図１】
2011080220.tif 000003
【図２】
2011080220.tif 000004
【図３】
2011080220.tif 000005
【図４】
2011080220.tif 000006
【図５】
2011080220.tif 000007
【図６】
2011080220.tif 000008
【図７】
2011080220.tif 000009